(57)【要約】【課題】アーク溶接部の耐食性に優れた高強度の自動車シャシ部材を提供する。【解決手段】板厚１.０〜３.０ｍｍの溶融Ｚｎ−Ａｌ−Ｍｇ系合金めっき鋼板部材同士のアーク溶接接合部を持ち、溶接前にめっき層を有していた鋼板表面は溶接ビード止端部まで連続的にＺｎ−Ａｌ−Ｍｇ系合金層で覆われており、そのＺｎ−Ａｌ−Ｍｇ系合金層と鋼素地の間にはＦｅ−Ａｌ系合金層が存在し、溶接ビード止端部からの距離が２.０ｍｍ以内の鋼板表層部において、Ｚｎ−Ａｌ−Ｍｇ系合金層は平均Ａｌ濃度：０.２〜２２.０質量％、平均Ｍｇ濃度：１.０〜１０.０質量％、且つＦｅ−Ａｌ系合金層は平均Ｆｅ濃度：７０.０質量％以下である自動車シャシ部材。【選択図】図５
2011208264.tif 000002
【特許請求の範囲】
【請求項１】
板厚１.０〜３.０ｍｍの溶融Ｚｎ−Ａｌ−Ｍｇ系合金めっき鋼板部材同士をアーク溶接で接合した接合部を持つ部材であって、
溶接前にめっき層を有していた鋼板表面は溶接ビード止端部まで連続的にＺｎ−Ａｌ−Ｍｇ系合金層で覆われており、そのＺｎ−Ａｌ−Ｍｇ系合金層と鋼素地の間にはＦｅ−Ａｌ系合金層が存在し、
溶接ビード止端部からの距離が２ｍｍ以内の鋼板表層部において、Ｚｎ−Ａｌ−Ｍｇ系合金層は平均Ａｌ濃度：０.２〜２２.０質量％、平均Ｍｇ濃度：１.０〜１０.０質量％、且つＦｅ−Ａｌ系合金層は平均Ｆｅ濃度：７０.０質量％以下である自動車シャシ部材。
【請求項２】
前記溶融Ｚｎ−Ａｌ−Ｍｇ系合金めっきの組成は、質量％で、Ａｌ：３.０〜２２.０％、Ｍｇ：０.０５〜１０.０％、Ｔｉ：０〜０.１０％、Ｂ：０〜０.０５％、Ｓｉ：０〜２.０％、Ｆｅ：０〜２.０％、残部Ｚｎおよび不可避的不純物からなるものである請求項１に記載の自動車シャシ部材。
【請求項３】
前記溶融Ｚｎ−Ａｌ−Ｍｇ系合金めっき鋼板のめっき原板は、質量％で、Ｃ：０.０５〜０.２５％、Ｓｉ：０.１０〜１.５０％、Ｍｎ：１.００〜２.５０％、Ａｌ：０.０１０〜０.１００％、Ｔｉ：０.０１０〜０.１００％、Ｂ：０.０００１〜０.０１００％、残部Ｆｅおよび不可避的不純物からなるものである請求項１または２に記載の自動車シャシ部材。
【請求項４】
めっき原板は、さらにＮｂ、Ｃｒ、Ｍｏ、Ｐの１種以上を合計１.００％以下の範囲で含有する請求項３に記載の自動車シャシ部材。
【請求項５】
溶融Ｚｎ−Ａｌ−Ｍｇ系合金めっき鋼板部材同士をアーク溶接接合するに際し、片面当たりのめっき付着量が２０〜２５０ｇ／ｍ2の溶融Ｚｎ−Ａｌ−Ｍｇ系合金めっき鋼板部材を使用し、下記（１）式で表される溶接入熱Ｑ（Ｊ／ｃｍ）をめっき付着量に応じて下記（２）式の成立範囲にコントロールする請求項１〜４のいずれかに記載の自動車シャシ部材の製造法。
Ｑ＝（Ｉ×Ｖ）／ｖ  …（１）
１３Ｗ＋１１４０≦Ｑ≦１５Ｗ＋８７２０  …（２）
ただし、Ｉ：溶接電流（Ａ）、Ｖ：アーク電圧（Ｖ）、ｖ：溶接速度（ｃｍ／ｓｅｃ）、Ｗ：片面当たりのめっき付着量（ｇ／ｍ2）
【発明の詳細な説明】
【技術分野】
【０００１】
本発明は、鋼板をアーク溶接法で接合して組み立てるフレーム、足廻り部材等の自動車シャシ部材に関し、特にアーク溶接部の耐食性に優れる自動車シャシ部材およびその製造方法に関する。
【背景技術】
【０００２】
自動車の足廻り部材等のシャシ部材は、主に熱延鋼板をプレス成形等により所定の形状の鋼板部材に成形し、それらをアーク溶接法で接合することによって組み立てられる。その後、塗膜密着性を付与するためにリン酸塩処理を施した後、カチオン電着塗装を施して使用に供される。
【０００３】
カチオン電着塗装を施した熱延鋼板では飛び石によるチッピングにより塗膜が損傷するとその部分を起点に腐食が進行する。また、自動車用シャシ部材のアーク溶接では重ねすみ肉溶接を行う場合が多いが、溶接ビード部およびビード止端部近傍部ではアーク溶接時の溶接入熱により鋼板表面にＦｅスケールが生成し、走行中の振動による疲労によりＦｅスケールがカチオン電着塗膜とともに剥離して耐食性が低下する。このため、自動車用シャシ部材では腐食による板厚減少量を見込んで強度設計する必要がある。具体的には、従来、衝突安全性の観点から引張強さ３４０〜４４０ＭＰａ級の鋼種からなる板厚３〜４ｍｍの高強度熱延鋼板を使用することが多かった。
【０００４】
近年、更なる衝突安全性の向上と軽量化が望まれるようになり、シャシ部材用の鋼板には５９０ＭＰａ以上の高強度鋼板を使用するニーズが高まっている。また、長寿命化のための防錆性能向上も求められている。そこで、引張強度が５９０ＭＰａ以上の鋼板に合金化溶融亜鉛系めっきを施した鋼板が自動車用シャシ部材に使用され始めている。しかしながら、亜鉛系めっき鋼板にアーク溶接を施すと、特に高温に曝される溶接ビード止端部の近くではめっき層が蒸発して消失し、その部分にＦｅスケールが生成してしまう。このためＦｅスケールごと塗膜が剥離しやすいという従前の熱延鋼板の欠点は、亜鉛系めっき鋼板を用いても改善されていない。また、溶接時にめっき層が溶融した部分では後述するように鋼素地との界面にＦｅ濃度の高いＦｅ−Ａｌ系合金層が生成し、亜鉛系めっき層本来の耐食性を阻害するという問題も顕在化した。
【０００５】
特許文献１には、一般的な溶融亜鉛めっき鋼板よりも耐食性の高い溶融Ｚｎ−Ａｌ系合金めっき鋼板や溶融Ｚｎ−Ａｌ−Ｍｇ系合金めっき鋼板をアーク溶接で接合する方法が開示されている。それによると、ステンレス鋼または銅合金の接合材料を用いて、適切な条件でアーク溶接を行えば、溶接時にビード止端部近傍部でＺｎは蒸発するものの、Ｚｎに比べて沸点の高いＡｌが残存し、Ａｌ酸化物として鋼板表面を被覆するために耐食性が向上するとされる。しかし、発明者らの検討によれば、Ａｌ酸化物はリン酸塩結晶の生成を阻害するためにカチオン電着塗膜の密着性を低下させる要因となる。このため、特許文献１の技術はチッピングや振動疲労による塗膜剥離が起きない建材には適用できるが、自動車シャシ部材では耐食性が不足する。
【０００６】
また、特許文献１の技術は板厚が３ｍｍを超える亜鉛系めっき鋼板に適用されるものである。これは、板厚が３ｍｍ以下と薄い条件では、溶接時の入熱により接合部の鋼板裏面のめっき層が蒸発してめっき損傷が生じ、鋼板裏面の耐食性の劣化を招くことがあるためである。この点でも特許文献１の技術は自動車シャシ部材の軽量化ニーズには十分対応できない。
【０００７】
さらに、溶融Ｚｎ−Ａｌ−Ｍｇ系合金めっき鋼板をアーク溶接すると、溶融金属脆化割れが発生しやすいことが知られている（特許文献２）。この場合、アーク溶接部の疲労強度が低下して問題となることがある。特許文献１の技術では、この溶融金属脆化割れに対する特段の配慮はなされていない。
【先行技術文献】
【特許文献】
【０００８】
【特許文献１】特開２００６−３５２９４号公報
【特許文献２】特開２００３−３２３８号公報
【発明の概要】
【発明が解決しようとする課題】
【０００９】
上述のように、アーク溶接で組み立てられる従来の自動車シャシ部材では、アーク溶接部の耐食性が不十分であるため薄肉化の設計が難しく、長寿命化と高強度・軽量化の両方を満足することができなかった。本発明は、これらの問題点を解決し、アーク溶接部の耐食性に優れる高強度の自動車シャシ部材を提供することを目的とする。
【課題を解決するための手段】
【００１０】
発明者らは詳細な研究の結果、特定のアーク溶接条件で溶融Ｚｎ−Ａｌ−Ｍｇ系めっき鋼板をアーク溶接したときに、ビード止端部近くでめっき層が蒸発しても、その周囲で溶融しためっき金属が溶接後の降温過程でビード止端部まで速やかに濡れ拡がる現象を実現させることが可能となることを見出した。そして、濡れ拡がったＺｎ−Ａｌ−Ｍｇ系合金層および、その下地に形成されるＦｅ−Ａｌ系合金層の組成などを、溶接条件によって適切にコントロールすれば、溶接部での耐食性を安定して向上させることができることがわかった。本発明はこのような知見に基づいて完成したものである。
【００１１】
すなわち、本発明では、板厚１.０〜３.０ｍｍの溶融Ｚｎ−Ａｌ−Ｍｇ系合金めっき鋼板部材同士をアーク溶接で接合した接合部を持つ部材であって、
溶接前にめっき層を有していた鋼板表面は溶接ビード止端部まで連続的にＺｎ−Ａｌ−Ｍｇ系合金層で覆われており、そのＺｎ−Ａｌ−Ｍｇ系合金層と鋼素地の間にはＦｅ−Ａｌ系合金層が存在し、
溶接ビード止端部からの距離が２ｍｍ以内の鋼板表層部において、Ｚｎ−Ａｌ−Ｍｇ系合金層は平均Ａｌ濃度：０.２〜２２.０質量％、平均Ｍｇ濃度：１.０〜１０.０質量％、且つＦｅ−Ａｌ系合金層は平均Ｆｅ濃度：７０.０質量％以下である自動車シャシ部材が提供される。
【００１２】
溶融Ｚｎ−Ａｌ−Ｍｇ系合金めっき鋼板部材とは、溶融Ｚｎ−Ａｌ−Ｍｇ系合金めっき鋼板を素材として成形加工した部材であって、切断端面、打抜き面、穴開け部など板厚方向の断面が露出している部分を除く表面に溶融Ｚｎ−Ａｌ−Ｍｇ系合金めっき層を有するものをいう。板厚は、めっき層を含めない「めっき原板」の板厚を意味する。溶接ビード止端部は、母材の面と溶接ビードの表面とが交わる位置である。
【００１３】
前記溶融Ｚｎ−Ａｌ−Ｍｇ系合金めっきの組成は、質量％で、Ａｌ：３.０〜２２.０％、Ｍｇ：０.０５〜１０.０％、Ｔｉ：０〜０.１０％、Ｂ：０〜０.０５％、Ｓｉ：０〜２.０％、Ｆｅ：０〜２.０％、残部Ｚｎおよび不可避的不純物からなるものであることがより好適である。
【００１４】
前記溶融Ｚｎ−Ａｌ−Ｍｇ系合金めっき鋼板のめっき原板は、質量％で、Ｃ：０.０５〜０.２５％、Ｓｉ：０.１０〜１.５０％、Ｍｎ：１.００〜２.５０％、Ａｌ：０.０１０〜０.１００％、Ｔｉ：０.０１０〜０.１００％、Ｂ：０.０００１〜０.０１００％であり、必要に応じてさらにＮｂ、Ｃｒ、Ｍｏ、Ｐの１種以上を合計１.００％以下の範囲で含有し、残部Ｆｅおよび不可避的不純物からなるものであることがより好適である。
【００１５】
上記の自動車シャシ部材の製造方法として、溶融Ｚｎ−Ａｌ−Ｍｇ系合金めっき鋼板部材同士をアーク溶接接合するに際し、片面当たりのめっき付着量が２０〜２５０ｇ／ｍ2の溶融Ｚｎ−Ａｌ−Ｍｇ系合金めっき鋼板部材を使用し、下記（１）式で表される溶接入熱Ｑ（Ｊ／ｃｍ）をめっき付着量に応じて下記（２）式の成立範囲にコントロールする製造法が採用できる。
Ｑ＝（Ｉ×Ｖ）／ｖ  …（１）
１３Ｗ＋１１４０≦Ｑ≦１５Ｗ＋８７２０  …（２）
ただし、Ｉ：溶接電流（Ａ）、Ｖ：アーク電圧（Ｖ）、ｖ：溶接速度（ｃｍ／ｓｅｃ）、Ｗ：片面当たりのめっき付着量（ｇ／ｍ2）
【発明の効果】
【００１６】
本発明によれば、従来の自動車シャシ部材で問題となっていたアーク溶接部のビード止端部近傍部における耐食性低下が回避され、高強度と高耐食性に優れた自動車シャシを構築することが可能となった。これにより、部材の長寿命化が実現され、また薄肉化による軽量化のニーズにも対応できる。
【図面の簡単な説明】
【００１７】
【図１】重ねすみ肉溶接継手の溶接部断面構造を模式的に示した図。
【図２】鋼板部材が従来の熱延鋼板である場合の溶接継手断面構造を模式的に示した図。
【図３】高強度溶融Ｚｎ−Ａｌ−Ｍｇ系めっき鋼板のアーク溶接時において、アークが通り過ぎた直後の高温の溶接部近傍の断面状態を模式的に示した図。
【図４】図３の状態から冷却された従来の高強度溶融Ｚｎ−Ａｌ−Ｍｇ系めっき鋼板溶接継手の断面構造を模式的に示した図。
【図５】図３の状態から冷却された本発明の高強度溶融Ｚｎ−Ａｌ−Ｍｇ系めっき鋼板溶接継手の断面構造を模式的に示した図。
【図６】溶融Ｚｎ−Ａｌ−Ｍｇめっき鋼板をアーク溶接した場合の止端部近傍の被覆状態と溶接部外観に及ぼすめっき付着量Ｗと溶接入熱Ｑの影響を例示したグラフ。
【図７】耐溶融金属脆化割れ性を調べるための溶接実験方法を示した図。
【図８】耐食性試験等に用いた重ねすみ肉溶接継手の形状を模式的に示した図。
【図９】複合腐食試験（ＣＣＴ）条件を示した図。
【発明を実施するための形態】
【００１８】
図１に、重ねすみ肉溶接継手の溶接部断面構造を模式的に例示する。自動車シャシにはアーク溶接によるこの種の溶接継手が多用されている。鋼板部材である母材１、母材１’が重ねられて配置され、母材１の表面と母材１’の端面に溶接ビード２が形成され、両部材が接合されている。
【００１９】
図２〜図５は、図１に示した止端部３の近傍に相当する部位の溶接継手断面構造を拡大して模式的に示したものである。
図２に、鋼板部材が従来の熱延鋼板である場合の溶接継手断面構造を模式的に示す。母材１の表面には、溶接ビード２の止端部３の近傍に、溶接入熱で母材１が高温に曝されたことに起因してＦｅスケール４が形成されている。Ｆｅスケール４は母材１との密着性に劣るため、このような状態で塗装を施した場合には、自動車の振動が繰り返されると止端部３近傍の塗膜がＦｅスケール４と共に母材から剥離して脱落しやすい。塗膜が脱落すればその部分の耐食性が確保されないため、腐食しろを見込んで厚肉の設計を余儀なくされる。なお、図２中のＦｅスケール４の厚さは誇張して描いてある。
【００２０】
図３に、高強度溶融Ｚｎ−Ａｌ−Ｍｇ系めっき鋼板のアーク溶接時において、アークが通り過ぎた直後の高温の溶接部近傍の断面状態を模式的に示す。母材１の表面は、溶接前に均一なめっき層７に覆われていたが、アークの通過によって止端部３の近くでは溶融しためっき層由来金属が蒸発して消失している（めっき層蒸発領域９）。それより止端部３からの距離が大きい部分では、元のめっき層７が溶融してＺｎ−Ａｌ−Ｍｇ系溶融金属８となるが、蒸発による消失には至っていない。さらに止端部３からの距離が大きくなると、元のめっき層７が溶融せずに存在している。なお、図３中、Ｚｎ−Ａｌ−Ｍｇ系溶融金属８およびめっき層７の厚さは誇張して描いてある。
【００２１】
図４に、図３の状態から冷却された従来の高強度溶融Ｚｎ−Ａｌ−Ｍｇ系めっき鋼板溶接継手の断面構造を模式的に示す。溶接時にめっき層が蒸発した止端部３近傍の領域（図３のめっき層蒸発領域９）にはＦｅスケール４が形成されている。その隣には溶融凝固領域１０があり、この領域には蒸発せずに残ったＺｎ−Ａｌ−Ｍｇ系溶融金属（図３の符号８）が凝固して存在している。さらに止端部３から遠い領域にはめっき層未溶融領域１１があり、この領域には元のめっき層（図３の符号７）が存在している。符号５はＺｎ−Ａｌ−Ｍｇ系合金層であり、これは、溶融凝固した金属と元のめっき層の部分によって構成される。Ｚｎ−Ａｌ−Ｍｇ系合金層５と母材１との間にはＦｅ−Ａｌ系合金層６が介在している。Ｆｅ−Ａｌ系合金層６は母材成分のＦｅとめっき成分のＡｌが反応したものであり、Ｚｎ−Ａｌ−Ｍｇ系合金層５と母材１との密着性を担う。ただし、溶融凝固領域１０のＦｅ−Ａｌ系合金層６は、元のめっき層の下に存在するものより厚く成長する。この層が過度に成長すると逆にめっき密着性が低下する。また、Ｆｅ−Ａｌ系合金層６中のＦｅ濃度が過大になると耐食性を損なうようになる。図４に示した断面構造ではＦｅスケール４の生成が塗膜剥離の原因となり、耐食性を劣化させる。なお、図４中、Ｆｅスケール４、Ｚｎ−Ａｌ−Ｍｇ系合金層５およびＦｅ−Ａｌ系合金層６の厚さは誇張して描いてある。
【００２２】
図５に、図３の状態から冷却された本発明の高強度溶融Ｚｎ−Ａｌ−Ｍｇ系めっき鋼板溶接継手の断面構造を模式的に示す。この場合、溶接時にめっき層が蒸発した止端部３近傍の領域（図３のめっき層蒸発領域９）に図３のＺｎ−Ａｌ−Ｍｇ系溶融金属８が濡れ拡がり、めっき層未溶融領域１１より止端部３寄りの領域の全体が溶融凝固領域１０となっている。すなわち、後述するようにアーク溶接条件を適正化することによって溶接後の冷却過程で速やかに図３のＺｎ−Ａｌ−Ｍｇ系溶融金属８が止端部３まで流動して、母材１の鋼素地表面を覆い尽くす。このため、図４に示したＦｅスケール４は形成されない。このように溶接前にめっき層を有していた母材１の表面が、溶接時に未溶融であっためっき層から溶接ビード止端部まで連続的にＺｎ−Ａｌ−Ｍｇ系合金層で覆われていて、且つ、止端部３近傍におけるＺｎ−Ａｌ−Ｍｇ系合金層５、およびその下地に存在するＦｅ−Ａｌ系合金層６の化学組成が適正範囲に調整されている場合に、溶接部近傍での良好な耐食性が維持される。そのような溶接継手は後述図６に示した適正範囲のアーク溶接条件によって実現される。なお、図５中、Ｚｎ−Ａｌ−Ｍｇ系合金層５およびＦｅ−Ａｌ系合金層６の厚さは誇張して描いてある。
【００２３】
〔アーク溶接条件〕
図６に、板厚２ｍｍ、めっき付着量２０〜２５０ｇ／ｍ2の溶融Ｚｎ−６質量％Ａｌ−３質量％Ｍｇめっき鋼板を用いて、アーク溶接により図１に示したタイプの重ねすみ肉溶接継手を作製し、めっき付着量Ｗと溶接入熱Ｑを種々変化させた場合の、止端部３近傍の被覆状態、およびアーク溶接部外観に及ぼす影響を調べた結果を例示する。溶接ガスはＡｒ＋２０ｖｏｌ.％ＣＯ2とした。溶接入熱Ｑは溶接電流Ｉと溶接速度ｖを変化させることによって調整した。溶接入熱Ｑ（Ｊ／ｃｍ）の値は前記（１）式により定まる。図５に対応する溶接部近傍の断面を走査型電子顕微鏡で観察した。ビード止端部３までＺｎ−Ａｌ−Ｍｇ系合金層５が形成され、かつスパッタが発生しないか軽微であるものを○、ビード止端部３近傍のめっき層が蒸発により消失したままの箇所（Ｚｎ−Ａｌ−Ｍｇ系合金層不存在部）が見られるものを×とした。また、アーク溶接部の外観を目視観察して、スパッタの発生が多く製品としての良好な外観を有していないと判断されるものを△とした。そして、○評価のものを合格と判定した。
【００２４】
図６からわかるように、溶接入熱Ｑが前記（２）式の範囲内であればビード止端部３までＺｎ−Ａｌ−Ｍｇ系合金層５が形成された。また、これらのものは止端部３近傍におけるＺｎ−Ａｌ−Ｍｇ系合金層５の厚さおよび化学組成、並びにその下地に存在するＦｅ−Ａｌ系合金層６の化学組成が後述する適正範囲に調整されており、溶接部近傍での耐食性に優れるものであることが別途確認されている。
【００２５】
これに対し、溶接入熱Ｑが図６中のＱ＜１３Ｗ＋１１４０の領域では、ビード止端部３までめっき層由来の溶融金属が到達しない状態となる。
一方、溶接入熱Ｑが図６中のＱ＞１５Ｗ＋８７２０の領域では、ビード止端部３までＺｎ−Ａｌ−Ｍｇ系合金層５で覆われたが、入熱過多でスパッタが著しく発生した。スパッタが著しいと塗装外観を損ねるだけでなく、腐食の起点となり耐食性が低下する。また、溶接入熱Ｑが過大になると後述するようにＦｅ−Ａｌ系合金層６が厚く成長するとともにＦｅ濃度が高くなり、Ｚｎ−Ａｌ−Ｍｇ系合金層５中のＡｌ濃度の低下や密着性低下を招く。
【００２６】
板厚１ｍｍおよび３ｍｍの材料を用いて同様の調査を行った結果、溶接入熱Ｑが上記（２）式の範囲内であれば図６と同様の結果となることが確認された。なお、溶接入熱Ｑが本発明の範囲より小さい場合にめっき層が消失したままとなる原因は明確になっていないが、溶接入熱Ｑが元のめっき層７の溶融量あるいはＺｎ−Ａｌ−Ｍｇ系溶融金属８（図３）の流動性に影響を及ぼしているものと推察される。
【００２７】
自動車シャシ部材を想定したアーク溶接において、止端部３近傍のめっき層が蒸発して消失するのは、通常、止端部から最大２ｍｍまでの範囲となる。したがって、止端部３から２.０ｍｍ以内の領域（以下、単に「止端部近傍２ｍｍ領域」という）に形成される被覆層についての特性によって、溶接部の耐食性改善効果を評価することができる。図５中には、止端部近傍２ｍｍ領域を符号１２で示した。
以下、各合金層、めっき浴、およびめっき原板の化学組成における「％」は特に断らない限り「質量％」を意味する。
【００２８】
〔止端部近傍２ｍｍ領域におけるＺｎ−Ａｌ−Ｍｇ系合金層〕
種々検討の結果、止端部近傍２ｍｍ領域において、Ｚｎ−Ａｌ−Ｍｇ系合金層５の平均Ａｌ濃度は０.２〜２２.０％、平均Ｍｇ濃度は１.０〜１０.０％である必要がある。この領域の平均Ａｌ濃度が０.２％未満では耐食性改善効果が不十分であり、２２.０％を超えても耐食性改善効果は飽和する。また、この領域の平均Ｍｇ濃度が１.０％未満では耐食性改善効果が不十分であり、１０.０％を超えても耐食性改善効果は飽和する。この領域でのＺｎ−Ａｌ−Ｍｇ系合金層５の組成は、めっき層７の組成および溶接条件（特にＦｅ−Ａｌ系合金層６の成長の仕方）によってコントロールすることができる。溶融めっき層７の組成を後述の範囲とすることがＺｎ−Ａｌ−Ｍｇ系合金層５の組成を適正化する上で有利となる。
【００２９】
止端部近傍２ｍｍ領域におけるＺｎ−Ａｌ−Ｍｇ系合金層５の平均厚さは、１.０μｍ以上であることがより好ましい。それより薄くても耐食性改善効果は得られるが、高耐食性が得られる寿命を考慮すると１.０μｍ以上であることが有利となる。上限は、元のめっき層によって制約を受けるが、通常４０μｍ以下の範囲で十分である。なお、この領域に生成されるＺｎ−Ａｌ−Ｍｇ系合金層５には元のめっき層７に由来するＴｉ、Ｂ、Ｓｉ等の元素や母材１の成分元素（特にＦｅ）が不可避的に含まれていて構わない。
【００３０】
〔止端部近傍２ｍｍ領域におけるＦｅ−Ａｌ系合金層〕
Ｆｅ−Ａｌ系合金層６はアーク溶接後の冷却時にＺｎ−Ａｌ−Ｍｇ系溶融金属８と母材１との合金化反応によって生成し、母材１とＺｎ−Ａｌ−Ｍｇ系合金層５の密着性向上に寄与する。ただし、止端部近傍２ｍｍ領域におけるＦｅ−Ａｌ系合金層６中の平均Ｆｅ濃度は７０.０％以下であることが重要である。それを超えると、Ｆｅ−Ａｌ系合金層６が脆くなり密着性が低下することがわかった。
【００３１】
Ｆｅ−Ａｌ系合金層６の厚さが厚くなるほど、Ｆｅ−Ａｌ系合金層６を形成するために必要なＡｌがＺｎ−Ａｌ−Ｍｇ系合金層５から消費されて、Ｚｎ−Ａｌ−Ｍｇ系合金層５の厚さおよびＡｌ濃度が不足する状態が生じやすい。また、Ｆｅ−Ａｌ系合金層６は本質的に脆いので、過度に厚くなるとＺｎ−Ａｌ−Ｍｇ系合金層５の密着性が低下しやすくなる。種々検討の結果、止端部近傍２ｍｍ領域において、各合金層の厚さには下記（３）式の関係が成立していることが、密着性の向上にはより効果的である。
［Ｆｅ−Ａｌ系合金層６の平均厚さ］／［Ｆｅ−Ａｌ系合金層６とＺｎ−Ａｌ−Ｍｇ系合金層５からなる合金層全体の平均厚さ］≦０.５  …（３）
なお、この領域に生成されるＦｅ−Ａｌ系合金層６には元のめっき層７に由来するＴｉ、Ｂ、Ｓｉ等の元素や母材のＦｅ以外の成分元素が不可避的に含まれていて構わない。
【００３２】
〔元の溶融Ｚｎ−Ａｌ−Ｍｇ系合金めっき層〕
止端部近傍２ｍｍ領域におけるＺｎ−Ａｌ−Ｍｇ系合金層５の組成を上述の適正範囲に調整するためには、元のめっき層７におけるＡｌ濃度を３.０％以上、Ｍｇ濃度を１.０％以上としておくことが有利となる。特にＡｌは溶接入力Ｑが比較的大きい場合やめっき付着量が比較的少ない場合などに、Ｆｅ−Ａｌ系合金層６の成長に消費されやすい傾向があり、その場合には大幅な濃度低下が生じることもある。具体的な溶融Ｚｎ−Ａｌ−Ｍｇ系合金めっき層７の組成範囲としては、質量％で、Ａｌ：３.０〜２２.０％、Ｍｇ：０.０５〜１０.０％、Ｔｉ：０〜０.１０％、Ｂ：０〜０.０５％、Ｓｉ：０〜２.０％、Ｆｅ：０〜２.０％、残部Ｚｎおよび不可避的不純物からなるものが好適な対象となる。溶融めっき層の化学組成は、溶融めっき浴の組成をほぼ反映したものとなる。
【００３３】
Ａｌは、めっき鋼板の耐食性向上に有効であり、また、めっき浴においてＭｇ酸化物系ドロスの発生を抑制する。溶融めっき浴のＡｌ含有量を３.０％以上とすればこれらの作用を発揮させることができるが、４.０％以上とすることがより好ましい。一方、Ａｌ含有量が２２.０％を超えると、めっき層７の下地に脆いＦｅ−Ａｌ合金層６が過剰に成長するようになり、めっき密着性の低下を招く要因となる。優れためっき密着性を確保するには１５.０％以下のＡｌ含有量とすることが好ましく、１０.０％以下に管理しても構わない。
【００３４】
Ｍｇは、めっき層表面に均一な腐食生成物を生成させてめっき鋼板の耐食性を著しく高める作用を呈する。その作用は溶融めっき浴のＭｇ含有量が０.０５％以上の範囲で発現するが、本発明では止端部近傍２ｍｍ領域におけるＺｎ−Ａｌ−Ｍｇ系合金層５の平均Ｍｇ濃度を１.０％以上とするために、めっき層７中のＭｇ濃度も１.０％以上とすることが有利となる。一方、Ｍｇ含有量が１０.０％を超えるとＭｇ酸化物系ドロスが発生し易くなり、高品質のめっき層を得ることが難しくなる。
【００３５】
溶融めっき浴中にＴｉ、Ｂを含有させると、溶融めっき時における製造条件の自由度が拡大する等のメリットがある。このため、必要に応じてＴｉ、Ｂの１種または２種を添加することができる。その添加量はＴｉの場合０.０００５％以上、Ｂの場合０.０００１％以上とすることがより効果的である。ただし、めっき層中のＴｉやＢの含有量が過剰になると析出物の生成に起因しためっき層表面の外観不良を引き起こす要因となる。めっき浴にＴｉを添加する場合は０.１０％以下の範囲、Ｂを添加する場合は０.０５％以下の範囲とする。
【００３６】
溶融めっき浴中にＳｉを含有させると、母材１とめっき層７の界面に生成するＦｅ−Ａｌ合金層６の過剰な成長が抑制され、溶融Ｚｎ−Ａｌ−Ｍｇ系めっき鋼板の加工性を向上させる上で有利となる。したがって、必要に応じてＳｉを含有させることができる。その場合は、溶融めっき浴のＳｉ含有量を０.００５％以上とすることがより効果的である。ただし、過剰のＳｉ含有は溶融めっき浴中のドロス量を増大させる要因となるので、めっき浴中のＳｉ含有量は２.０％以下に制限される。
【００３７】
溶融めっき浴中には、鋼板を浸漬・通過させる関係上、一般にはＦｅの混入が避けられない。Ｚｎ−Ａｌ−Ｍｇ系めっき浴中のＦｅ含有量は概ね２.０％程度まで許容される。
【００３８】
溶融Ｚｎ−Ａｌ−Ｍｇ系めっき鋼板のめっき付着量（片面当たり）は２０〜２５０ｇ／ｍ2とすることが好ましい。めっき付着量を片面当たり２０ｇ／ｍ2以上とすることにより、アーク溶接時にビード止端部まで濡れ拡がるに足るＺｎ−Ａｌ−Ｍｇ系溶融金属８（図３）の量を確保する溶接条件を設定しやすい。ただし、めっき付着量が２５０ｇ／ｍ2を超えると溶接時にブローホールが発生しやすくなる。ブローホールが発生すると溶接強度が低下する。
【００３９】
〔めっき原板〕
自動車シャシ用の溶融Ｚｎ−Ａｌ−Ｍｇ系めっき鋼板としては高強度であり、耐溶融金属脆化割れ性に優れるものであることが特に好適な対象となる。そのような鋼板として、質量％で、Ｃ：０.０５〜０.２５％、Ｓｉ：０.１０〜１.５０％、Ｍｎ：１.００〜２.５０％、Ａｌ：０.０１０〜０.１００％、Ｔｉ：０.０１０〜０.１００％、Ｂ：０.０００１〜０.０１００％であり、必要に応じてさらにＮｂ、Ｃｒ、Ｍｏ、Ｐの１種以上を合計１.００％以下の範囲で含有し、残部Ｆｅおよび不可避的不純物からなる鋼種をめっき原板に採用することが好ましい。各成分元素について簡単に説明する。
【００４０】
Ｃは、高強度化に必要な元素である。０.０５％未満では５９０ＭＰａ以上の引張強度を得るのが難しくなり、０.２５％を超えると延性が低下してプレス成形性が悪くなる。
【００４１】
Ｓｉは、延性を低下させることなく高強度化するのに有効な元素である。０.１０％未満では強度向上効果が小さく、１.５０％を超えると溶融めっきラインでの還元加熱時に鋼板表面にＳｉが濃化して酸化物となりめっき性を阻害する場合がある。
【００４２】
Ｍｎは、Ｓｉと同様に高強度化に有効である。１.００％未満では強度向上効果が小さく、２.５０％を超えると溶融めっきラインでの還元加熱時に鋼板表面にＭｎが濃化して酸化物となりめっき性を阻害しやすい。
【００４３】
Ａｌは、製鋼時に脱酸剤として添加される。０.０１０％未満の含有量では脱酸効果が小さく、０.１００％を超えるとＳｉ、Ｍｎと同様に還元加熱時に鋼板表面に濃化して酸化物となりめっき性を阻害する恐れがある。
【００４４】
Ｔｉは、炭化物の析出強化により強度向上に寄与する元素である。０.０１０％未満では強度向上効果が小さく、０.１００％を超えると再結晶温度が著しく高くなる。
【００４５】
Ｂは、アーク溶接時に熱影響部のオーステナイト粒界に偏析して、溶融したＺｎ−Ａｌ−Ｍｇ系めっき層による溶融金属脆化割れを抑制する作用を呈する。０.０００１％未満では溶融金属脆化割れ抑制効果が小さく、０.０１００％を超えて添加しても効果が飽和するとともにコストアップとなる。
【００４６】
Ｎｂ、Ｃｒ、Ｍｏ、Ｐは、Ｂと同様にアーク溶接時に熱影響部のオーステナイト粒界に偏析して溶融金属脆化割れを抑制する作用を呈する。このため必要に応じてこれらの元素の１種以上を含有する鋼種を採用すればよい。これらの元素の合計含有量が０.０１％以上確保されていることがより効果的である。ただし、これらの合計含有量が１.０％を超えても効果が飽和するとともにコストアップとなる。個々の元素については、Ｎｂは０.１０％以下の範囲がより好ましく、０.０１〜０.１０％であることが一層効果的である。Ｃｒは０.７０％以下の範囲がより好ましく、０.１０〜０.７０％であることが一層効果的である。Ｍｏは０.５０％以下の範囲がより好ましく、０.１０〜０.５０％であることが一層効果的である。Ｐは０.５０％以下の範囲がより好ましく、０.０５〜０.５０％であることが一層効果的である。
【００４７】
〔めっき鋼板の板厚〕
自動車シャシ用途を考慮すると、上記の化学組成を有するめっき原板を使用した場合、板厚が１.０ｍｍ未満ではアーク溶接部の疲労強度が不足しやすい。一方、板厚が３.０ｍｍを超えると溶接入熱Ｑを大きくする必要があり、スパッタが発生しやすくなる。板厚３.０ｍｍ以下であれば軽量化の観点からも従来の熱延鋼板材に対して有利となる。
【００４８】
〔アーク溶接〕
アーク溶接の手法は、本発明で規定した条件以外は特に限定されない。アーク溶接法ではシールドガスとして一般にＡｒ、ＣＯ2またはＡｒ＋ＣＯ2の混合ガスが使用されるが、本発明ではシールドガスの種類、組成は特に限定されない。また、溶接ワイヤーも特に限定されず、軟鋼用のＹＧＷ１２、Ｚｎめっき用のＹＧＷ１４、５９０〜７８０ＭＰａ級高張力鋼用のＹＧＷ２１等を用いればよい。
【実施例１】
【００４９】
表１に示す組成の板厚２ｍｍ、板幅１０００ｍｍの冷延鋼帯を溶融めっきラインに通板して表２に示すめっき条件で溶融Ｚｎ−Ａｌ−Ｍｇ系めっき鋼板を製造し、機械的性質と溶融金属脆化割れ性を調査した。
【００５０】
【表１】
2011208264.tif 000003
【００５１】
【表２】
2011208264.tif 000004
【００５２】
〔機械的性質の試験方法〕
圧延方向と平行にＪＩＳ５号引張試験片を採取し、ＪＩＳ Ｚ２２４１に従い常温で引張試験を行い、０.２％耐力（ＹＳ）、引張強さ（ＴＳ）、全伸び（Ｔ.Ｅｌ）を測定した。
【００５３】
〔耐溶融金属脆化割れ性の試験方法〕
図７に示すように、１００ｍｍ×７５ｍｍの試験片１４の中央部に直径２０ｍｍ、長さ２５ｍｍの棒鋼のボス（突起）１５を垂直に立て、アーク溶接した。溶接開始点からボス１５の周囲を１周して、溶接開始点を過ぎた後もさらにビードを重ねて溶接を進め、溶接ビード１６の重なり部分１７ができたところで溶接を終了した。溶接中、試験片１４は平板上に拘束された状態とした。この試験は実験的に溶接割れが生じやすい状況としたものである。溶接条件は以下のとおりである。
（アーク溶接条件）
・溶接電流：１６０Ａ
・アーク電圧：２０Ｖ
・溶接速度：０.４ｍ／ｍｉｎ
・溶接ワイヤー：ＹＧＷ１４
・シールドガス：Ａｒ−２０ｖｏｌ.％ＣＯ2、流量２０Ｌ／ｍｉｎ
【００５４】
溶接後、ボス１５の中心軸を通り、且つビード重なり部分１７を通る切断面２０について、ビード重なり部分１７近傍の試験片１４部分を光学顕微鏡で観察することにより、試験片１４に観測される最も深い割れの深さ（最大割れ深さ）を測定した。この割れは「溶融金属脆化割れ」であると判断される。
これらの試験結果を表３に示す。
【００５５】
【表３】
2011208264.tif 000005
【００５６】
表３からわかるように、鋼Ａ〜Ｌをめっき原板に用いた溶融Ｚｎ−Ａｌ−Ｍｇ系合金めっき鋼板は、張強さが５９０ＭＰａ以上であり、且つ優れた耐溶融金属脆化割れ性を呈する。鋼Ａ〜Ｌは前述の化学組成を有するものである。したがって、特に耐溶融金属脆化割れ性を重視する場合は前述の化学組成を有するめっき原板を採用することが有利となる。
【実施例２】
【００５７】
実施例１で用いた鋼Ａ、Ｃ、Ｅ、Ｆ、Ｈ、Ｉ、Ｋ、Ｌの冷延鋼帯（板厚２ｍｍ、板幅１０００ｍｍ）を溶融めっきラインに通板して、表４に示す種々のめっき条件で溶融Ｚｎ−Ａｌ−Ｍｇ系めっき鋼板を製造し、得られためっき鋼板から１００ｍｍ×１００ｍｍのサンプルを採取し、同種のめっき鋼板サンプル２枚を図８に模式的に示すように重ねすみ肉アーク溶接にて接合した。溶接条件は表５に示す範囲で溶接電流とアーク電圧を変化させることにより種々の溶接入熱Ｑに調整した。得られた溶接継手サンプルの止端部近傍２ｍｍ領域におけるＺｎ−Ａｌ−Ｍｇ系合金層５およびＦｅ−Ａｌ系合金層６について、平均厚さ測定、元素分析を行った。また、溶接部のスパッタ発生状況、および溶接部の耐食性を調べた。
【００５８】
【表４】
2011208264.tif 000006
【００５９】
【表５】
2011208264.tif 000007
【００６０】
〔止端部近傍２ｍｍ領域の各合金層の平均厚さ想定方法〕
溶接継手サンプルの溶接ビードに垂直な断面について、図５に模式的に示した断面に相当する部分をＳＥＭ観察し、ビード止端部３からの距離で０.１ｍｍ位置から１.９ｍｍ位置までほぼ等間隔で１０視野の断面写真（倍率２０００〜５０００倍）を撮影し、各位置におけるＺｎ−Ａｌ−Ｍｇ系合金層５およびＦｅ−Ａｌ系合金層６の厚さを測定し、それらの平均値をそれぞれ止端部近傍２ｍｍ領域のＺｎ−Ａｌ−Ｍｇ系合金層およびＦｅ−Ａｌ系合金層の平均厚さとした。
【００６１】
〔止端部近傍２ｍｍ領域の各合金層の元素分析方法〕
上記の厚さ測定（断面写真撮影）を行った各位置において、ＳＥＭに付設のエネルギー分散型蛍光Ｘ線分析装置を用いてＺｎ−Ａｌ−Ｍｇ系合金層５中のＡｌ濃度およびＭｇ濃度、並びにＦｅ−Ａｌ系合金層６中のＦｅ濃度を測定し、各視野の平均値を止端部近傍２ｍｍ領域の上記各元素濃度とした。
【００６２】
〔溶接部のスパッタ発生状況の調査方法〕
アーク溶接部の外観を目視観察して、スパッタの発生が認められないか軽微であるため製品として十分に良好な外観を有していると判断されるものを○（良好）、それ以外を×（不良）と判断した。
【００６３】
〔溶接部の耐食性試験方法〕
上記の溶接継手サンプルに表６に示す条件で表面調整とリン酸塩処理を施し、表７に示す条件でカチオン電着塗装を施した。カチオン電着塗装したサンプルに、振動による疲労をシミュレートするために溶接方向と垂直方向に応力５０Ｎ／ｍｍ2、試験回数１×１０5回の試験条件で疲労試験を施した後、図９に示す条件の複合腐食試験（ＣＣＴ）に供し、ＣＣＴ２５０サイクル後の赤錆発生有無を調査した。溶接部に赤錆の発生が認められないものを○（良好）、それ以外を×（不良）と判定した。
結果を表８に示す。
【００６４】
【表６】
2011208264.tif 000008
【００６５】
【表７】
2011208264.tif 000009
【００６６】
【表８】
2011208264.tif 000010
【００６７】
表８に示すように、本発明に従う試験Ｎｏ.１〜１５のものは溶接ビード止端部まで連続的にＺｎ−Ａｌ−Ｍｇ系合金層で覆われており、スパッタの発生状況および溶接部耐食性は良好であった。
【００６８】
これに対し、比較例Ｎｏ.２１、２２は溶接ビード止端部まで連続的にＺｎ−Ａｌ−Ｍｇ系合金層で覆われたが、止端部近傍２ｍｍ領域においてＺｎ−Ａｌ−Ｍｇ系合金層５のＡｌ濃度およびＭｇ濃度が低く、また、Ｆｅ−Ａｌ系合金層６のＦｅ濃度が高いために疲労試験で局部的にＦｅ−Ａｌ系合金層６と母材１との界面で剥離して溶接部耐食性に劣った。Ｎｏ.２３、２５、２７、２９、３１は溶接入熱Ｑが過小であったことにより溶接時に溶融しためっき層由来金属の濡れ拡がりが不十分となり、Ｚｎ−Ａｌ−Ｍｇ系合金層不存在部が生じ、その部分にＦｅスケール４が生成した。その結果、疲労試験でＦｅスケール４と母材１の界面で剥離して溶接部耐食性に劣った。Ｎｏ.２４、２６、２８は溶接入熱Ｑが過大であったことによりスパッタが多く発生した。またＦｅ−Ａｌ系合金層６のＦｅ濃度が高くなり疲労試験で局部的にＦｅ−Ａｌ系合金層６と母材１との界面で剥離して溶接部耐食性にも劣った。Ｎｏ.３０、３２は溶接入熱Ｑがかなり高いのでスパッタの発生が著しく増大し、溶接部で赤錆は発生しなかったもののスパッタが付着した部分を起点にして白錆が発生した。
【符号の説明】
【００６９】
１、１’  母材
２    溶接ビード
３    止端部
４    Ｆｅスケール
５    Ｚｎ−Ａｌ−Ｍｇ系合金層
６    Ｆｅ−Ａｌ系合金層
７    めっき層
８    Ｚｎ−Ａｌ−Ｍｇ系溶融金属
９    めっき層蒸発領域
１０    溶融凝固領域
１１    めっき層未溶融領域
１２    止端部近傍２ｍｍ領域
１４    試験片
１５    ボス
１６    溶接ビード
１７    ビード重なり部分
１８    溶融Ｚｎ−Ａｌ−Ｍｇ系合金めっき鋼板
１９    溶接ビード
２０    切断面
【図１】
2011208264.tif 000011
【図２】
2011208264.tif 000012
【図３】
2011208264.tif 000013
【図４】
2011208264.tif 000014
【図５】
2011208264.tif 000015
【図６】
2011208264.tif 000016
【図７】
2011208264.tif 000017
【図８】
2011208264.tif 000018
【図９】
2011208264.tif 000019